(57)【要約】【課題】  無線タグと携帯端末の情報読取書込装置との間での情報の授受を電波を媒体として実施する場合に、お互いのアンテナの位置あわせが容易な情報読取書込装置を提供することを目的とする。【解決手段】  携帯端末の情報読取書込装置１０２からガイド光３２０を照射して、アンテナ部１１１から輻射する電波や周囲の電波状況を視覚化することによって、位置あわせがし易い。【選択図】図３
2005242396.tif 000002
【特許請求の範囲】
【請求項１】
電波を輻射して無線タグにアクセスしてデータの授受を実施する情報読取書込装置であって、
電波を媒体として前記無線タグと通信を行ってデータの授受を実施する通信部と、
データの授受が可能な前記電波の輻射範囲を示すように可視領域のガイド光を照射する投光部と
を備えた情報読取書込装置。
【請求項２】
投光部は、データの授受が可能な前記電波の輻射範囲と一致する範囲を照射するようにガイド光を照射するよう構成した
請求項１記載の情報読取書込装置。
【請求項３】
投光部は、無線タグが配置されているアクセス対象位置がデータの授受が可能な電波の輻射範囲の外にある場合には、ガイド光の輪郭がぼやけた状態となるよう構成した
請求項１記載の情報読取書込装置。
【請求項４】
投光部は、各々にガイド光を照射する複数の投光部を備え、無線タグが配置されているアクセス対象位置がデータの授受が可能な電波の輻射範囲の外にある場合には、各々の投光部が照射したガイド光の間隔が離れた状態となるように構成した
請求項１記載の情報読取書込装置。
【請求項５】
無線タグが配置されているアクセス対象位置との距離を検出する距離検出部と、前記距離検出部からの情報に基づいて投光部から照射されるガイド光の照射範囲を調整する制御部とを備えた
請求項１記載の情報読取書込装置。
【請求項６】
周囲のノイズを検出するノイズ検出部と、
前記ノイズ検出部からの情報に基づいて投光部から照射されるガイド光の色または点滅状態を変更する制御部とを備えた
請求項１記載の情報読取書込装置。
【請求項７】
通信部のデータの授受が可能な電波の輻射範囲内に複数の無線タグが存在するか否かを前記通信部からの信号に基づいて判定する判定部と、
データの授受が可能な電波の輻射範囲内に複数の無線タグが存在すると前記判定部からの情報に基づいて検出した場合に投光部から照射されるガイド光の色または点滅状態を変更する制御部と
を備えた請求項１記載の情報読取書込装置。
【請求項８】
データの授受が可能な電波の輻射範囲内に複数の無線タグが存在するか否かを通信部からの信号に基づいて判定する判定部と、
前記通信部から輻射される電波の強度および投光部から照射されるガイド光の照射範囲を前記判定部からの情報に基づいて制御する制御部と
を備え、前記通信可能範囲内に複数の無線タグが存在する場合には、前記通信部から輻射される電波の強度を弱くしてデータの授受が可能な電波の輻射範囲を狭くし、この電波の輻射範囲の変更に併せて前記ガイド光の照射範囲も狭くする
請求項１記載の情報読取書込装置。
【請求項９】
投光部からガイド光の照射を開始させる第１の操作部と、
無線タグとの通信を開始させる第２の操作部と
を備え、前記第１の操作部の操作を検出して前記ガイド光の照射を行った後に前記第２の操作部の操作を検出して無線タグとの通信を行う
請求項１〜請求項８のいずれかに記載の情報読取書込装置。
【請求項１０】
通信部から輻射する電波の強度を強くして無線タグとの通信を開始させる第１の操作部と、
通信部から放出する電波の強度を弱くして無線タグとの通信を開始させる第２の操作部と
を備え、前記第１の操作部の操作を検出して前記電波の輻射ならびに前記ガイド光の照射を行ってデータの授受が可能な電波の輻射範囲内に存在する無線タグの検索を行い、前記第２の操作部の操作を検出して特定の無線タグとの通信を行う請求項１〜請求項８のいずれかに記載の情報読取書込装置。
【請求項１１】
電波を輻射して無線タグにアクセスしてデータの授受を実施するに際し、
前記電波を輻射させるとともに、データの授受が可能な前記電波の輻射範囲と一致する範囲を照射するように可視領域のガイド光を照射し、
前記ガイド光の照射位置を無線タグが配置されているアクセス対象位置に位置を合わせて前記無線タグにアクセスする
情報読取書込装置の運転方法。
【請求項１２】
情報読取書込装置から電波を輻射して無線タグにアクセスしてデータの授受を実施するに際し、
前記電波を輻射させるとともに、互いの光軸が所定開き角度で交差する複数の投光部から可視領域のガイド光を照射し、
情報読取書込装置と無線タグが配置されているアクセス対象位置との距離を各投光部から照射されたガイド光が重なり合うよう前記距離を調節し、重なり合った前記ガイド光の範囲内に前記アクセス対象位置を位置合わせして前記無線タグにアクセスする
情報読取書込装置の運転方法。
【請求項１３】
電波を輻射して無線タグにアクセスしてデータの授受を実施するに際し、
前記電波を輻射させるとともに、データの授受が可能な前記電波の輻射範囲と一致する範囲を照射するように可視領域のガイド光を照射し、
無線タグが配置されているアクセス対象位置との距離に基づいて前記ガイド光の照射範囲を自動調整し、
照射範囲が自動調整されたガイド光の範囲内に前記アクセス対象位置を位置合わせして前記無線タグにアクセスする
情報読取書込装置の運転方法。
【請求項１４】
電波を輻射して無線タグにアクセスしてデータの授受を実施するに際し、
前記電波を輻射させるとともに、データの授受が可能な前記電波の輻射範囲と一致する範囲を照射するように可視領域のガイド光を照射し、
前記ガイド光の範囲内に前記アクセス対象位置を位置合わせして前記無線タグにアクセスし、
電波を媒体として前記無線タグと通信を行ってデータの授受を実施する通信部が無線タグからの応答を取り出すときに発生したエラー頻度を監視し、
エラー頻度が通信品質に影響を与える限度を超えたと判定した場合と通信品質への影響を少ないと判定した場合とで、前記ガイド光の色または点滅状態を変更して周辺の電波状況を報知する
情報読取書込装置の運転方法。
【請求項１５】
電波を輻射して無線タグにアクセスしてデータの授受を実施するに際し、
前記電波を輻射させるとともに、データの授受が可能な前記電波の輻射範囲と一致する範囲を照射するように可視領域のガイド光を照射し、
前記ガイド光の範囲内に前記アクセス対象位置を位置合わせして前記無線タグにアクセスし、
電波を媒体として前記無線タグと通信を行ってデータの授受を実施する通信部信号に基づいて前記電波の輻射範囲内に複数の無線タグが存在するか否かを判定し、
前記電波の輻射範囲内に複数の無線タグが存在する場合としない場合とで、前記ガイド光の色または点滅状態を変更して複数の無線タグの読み逃しが発生しないように報知する
情報読取書込装置の運転方法。
【請求項１６】
電波を輻射して無線タグにアクセスしてデータの授受を実施するに際し、
前記電波を輻射させるとともに、データの授受が可能な前記電波の輻射範囲と一致する範囲を照射するように可視領域のガイド光を照射し、
前記ガイド光の範囲内に前記アクセス対象位置を位置合わせして前記無線タグにアクセスし、
電波を媒体として前記無線タグと通信を行ってデータの授受を実施する通信部信号に基づいて前記電波の輻射範囲内に複数の無線タグが存在するか否かを判定し、
前記電波の輻射範囲内に複数の無線タグが存在する場合には、前記通信部から輻射される電波の強度を弱くしてデータの授受が可能な電波の輻射範囲を狭くし、この電波の輻射範囲の変更に併せて前記ガイド光の照射範囲も狭くして通信品質やセキュリティを高めたことを報知する
情報読取書込装置の運転方法。
【請求項１７】
電波を輻射して無線タグにアクセスしてデータの授受を実施するに際し、
電波を媒体として前記無線タグと通信を行ってデータの授受を実施する通信部からの前記電波の輻射の開始に先立って、データの授受が可能な前記電波の輻射範囲と一致する範囲を照射するように可視領域のガイド光を照射し、
その後に前記通信部からの電波の輻射を開始して無線タグとの通信を行う
情報読取書込装置の運転方法。
【請求項１８】
電波を輻射して無線タグにアクセスしてデータの授受を実施するに際し、
前記電波を輻射させるとともに、データの授受が可能な前記電波の輻射範囲と一致する範囲を照射するように可視領域のガイド光を照射し前記電波の輻射範囲内に存在する無線タグの検索を行い、
その後に輻射する前記電波の出力を無線タグの前記検索の場合よりも低下させるとともに前記ガイド光の照射範囲を変更し、
前記ガイド光の範囲内に前記アクセス対象位置を位置合わせして特定の無線タグとの通信を行う
情報読取書込装置の運転方法。
【発明の詳細な説明】
【技術分野】
【０００１】
本発明は、無線タグの情報の読み取りおよび／または書き込みする情報読取書込装置に関するものである。
【背景技術】
【０００２】
近年、商品管理、生産管理、工程管理において、物や人の識別と管理を自動化することを目的とし、識別対象に識別用データまたは管理用データを記録可能かつ非接触で通信可能な無線タグ（データキャリア）を取り付け、必要に応じて情報読取書込装置を使ってそのデータの読み取りまたは書き込みを行う情報処理システムが多く利用されている（例えば、特許文献１）。さらに、９００ＭＨｚ以上の高周波数帯通信に対応した無線タグの開発によって、狭指向性で読取距離４ｍ以上という特徴を活かしたシステムへの応用展開が広がっている。
【０００３】
また、無線タグと情報読取書込装置を使ってデータの読み取りまたは書き込みを行う情報処理システムの分野ではないが、電波を利用した無線ＬＡＮ装置における一対一通信において、アンテナの位置あわせを支援する方法としては、狭指向性のアンテナおよび各々のアンテナに対応する発光ダイオードを円周上に一列に複数個配置し、小型アンテナから入力される受信信号の受信レベルを受信レベル計測部で計測し、受信レベルのＳ／Ｎ比が最大である受信信号の受信方向に対応するアンテナと対応する前記発光ダイオードを点灯表示させる技術が知られている（例えば、特許文献２）。
【特許文献１】特開平１１−１４９５３０号公報
【特許文献２】特開２００２−１２４９６２公報
【発明の開示】
【発明が解決しようとする課題】
【０００４】
しかしながら、無線タグの位置が固定されない場合、たとえば、無線タグの取り付けられた識別対象が無作為に配置された場合や、情報読取書込装置が持ち運び可能な携帯端末である場合、通信の媒介が目に見えない電波でさらに狭指向性であるため、お互いのアンテナの位置あわせが難しい。
【０００５】
電波を利用した一対一通信におけるアンテナの位置あわせを支援する方法として、（特許文献２）に見られる無線ＬＡＮ装置のように、狭指向性のアンテナおよび各々のアンテナに対応するＬＥＤを円周上に一列に複数個配置し、小型アンテナから入力される受信信号の受信レベルを受信レベル計測部で計測し、受信レベルのＳ／Ｎ比が最大である受信信号の受信方向に対応するアンテナと対応するＬＥＤを点灯表示させる、同方式を情報読取書込装置に適用した場合、全方位に複数のアンテナおよび発光ダイオードを配置する必要があり、コスト増の要因となる。
【０００６】
また、金銭の引出しなどのセキュリティが要求されるアプリケーションにおいて、通信品質やセキュリティを高めるために数ｃｍ程度の近距離で通信するためにモードを切り換える方法が採用されることが想定される。この場合、長距離通信−近距離通信のモード切り換えがなされたことをユーザにわかりやすく伝える手段が無いという課題がある。
【０００７】
本発明は、無線タグにアクセスする情報読取書込装置において、狭指向性の電波を媒介させて通信する場合であっても、ユーザの使い勝手が良好な情報読取書込装置を提供することを目的とする。
【課題を解決するための手段】
【０００８】
上記課題を解決するために、本発明の情報読取書込装置は、電波を輻射して無線タグにアクセスしてデータの授受を実施する情報読取書込装置であって、電波を媒体として前記無線タグと通信を行ってデータの授受を実施する通信部と、データの授受が可能な前記電波の輻射範囲を示すように可視領域のガイド光を照射する投光部とを備えたことを特徴とする。
【０００９】
この構成によれば、投光部が、情報読取書込装置の読み取りおよび／または書き込み可能な範囲と一致する範囲を照射するようにガイド光を照射することで、狭指向性の電波が無線タグに確実に照射されることを視覚的に確認することが可能である。
【００１０】
また、投光部は、無線タグが配置されているアクセス対象位置がデータの授受が可能な電波の輻射範囲の外にある場合には、ガイド光の輪郭がぼやけた状態となるよう構成することで、通信可能範囲内に無線タグが有るか否かをユーザが知覚可能である。
【００１１】
また、投光部は、各々にガイド光を照射する複数の投光部を備え、無線タグが配置されているアクセス対象位置がデータの授受が可能な電波の輻射範囲の外にある場合には、各々の投光部が照射したガイド光の間隔が離れた状態となるように構成することによって、さらに無線タグとの通信状態が最も良好なポイントで各々の投光部が照射したガイド光が一致した状態にすることで、ユーザが通信状態の良好なポイントを探すことが容易となる。
【００１２】
また、無線タグが配置されているアクセス対象位置との距離を検出する距離検出部と、前記距離検出部からの情報に基づいて投光部から照射されるガイド光の照射範囲を調整する制御部とを備えたことで、ガイド光の被投影対象とアンテナとの距離に応じて変化する通信可能範囲と一致するようにガイド光を照射することで、より正確な通信可能範囲をユーザが知覚可能である。
【００１３】
また、周囲のノイズを検出するノイズ検出部と、前記ノイズ検出部からの情報に基づいて投光部から照射されるガイド光の色または点滅状態を変更する制御部とを備えることで、周辺の電波状況をユーザに報知する手段を提供可能である。
【００１４】
また、通信部のデータの授受が可能な電波の輻射範囲内に複数の無線タグが存在するか否かを前記通信部からの信号に基づいて判定する判定部と、データの授受が可能な電波の輻射範囲内に複数の無線タグが存在すると前記判定部からの情報に基づいて検出した場合に投光部から照射されるガイド光の色または点滅状態を変更する制御部とを備えることで、たとえば、通信可能範囲内に複数タグがある場合は、「警告（読み逃しに注意）」を意味するイエローに切り換えることで、読み逃しが発生しないように注意を喚起するためにユーザに報知する手段を提供可能である。
【００１５】
また、データの授受が可能な電波の輻射範囲内に複数の無線タグが存在するか否かを通信部からの信号に基づいて判定する判定部と、前記通信部から輻射される電波の強度および投光部から照射されるガイド光の照射範囲を前記判定部からの情報に基づいて制御する制御部とを備え、前記通信可能範囲内に複数の無線タグが存在する場合には、前記通信部から輻射される電波の強度を弱くしてデータの授受が可能な電波の輻射範囲を狭くし、この電波の輻射範囲の変更に併せて前記ガイド光の照射範囲も狭くすることで、たとえば、通信品質やセキュリティを高める目的で、情報読取書込装置の制御部の働きにより無線タグ−アンテナ間の通信可能範囲が制御されたことをユーザに報知する手段を提供可能である。
【００１６】
また、投光部からガイド光の照射を開始させる第１の操作部と、無線タグとの通信を開始させる第２の操作部とを備え、前記第１の操作部の操作を検出して前記ガイド光の照射を行った後に前記第２の操作部の操作を検出して無線タグとの通信を行うことで、たとえば、前記第１の操作部を操作したときガイド光を識別対象に照射し「通信のための位置あわせ」を行い、さらに前記第２の操作部を操作したとき「タグへの情報の読み取りまたは書き込み」を行うといったユーザにとって直感的にわかりやすい無線タグの探索作業の手順を提供できる。
【００１７】
また、通信部から輻射する電波の強度を強くして無線タグとの通信を開始させる第１の操作部と、通信部から放出する電波の強度を弱くして無線タグとの通信を開始させる第２の操作部とを備え、前記第１の操作部の操作を検出して前記電波の輻射ならびに前記ガイド光の照射を行ってデータの授受が可能な電波の輻射範囲内に存在する無線タグの検索を行い、前記第２の操作部の操作を検出して特定の無線タグとの通信を行うことで、たとえば、前記第１の操作部を操作したとき長距離通信のモードにおいて「タグの検索」を行い、さらに前記第２の操作部を操作したとき短距離通信のモードにおいて「タグへの情報書込み」を行うといったユーザにとって直感的にわかりやすい無線タグの書き込み作業の手順を提供できる。
【発明の効果】
【００１８】
本発明によると、無線タグにアクセスする情報読取書込装置において、ガイド光の照射方法を制御することによって、本体のアンテナから放出する電波や周囲の電波状況を視覚化することで、狭指向性の電波が無線タグに確実に照射されることを視覚的に確認するなどのユーザの使い勝手を向上させた情報読取書込装置を提供できるという効果を有する。
【発明を実施するための最良の形態】
【００１９】
以下、本発明の各実施の形態を図１〜図１２に基づいて説明する。
なお、同様の作用をなすものには同一の符号を付けて説明する。
（実施の形態１）
図１〜図３は本発明の（実施の形態１）を示す。
【００２０】
図１に示すように、識別対象１０１に取り付けられた無線タグ１００との間で、高周波数帯の電波によって通信してデータの授受を実施する情報読取書込装置１０２は次のように構成されている。
【００２１】
情報読取書込装置１０２は、無線タグ１００の情報の読み取りおよび／または無線タグへの情報の書き込みを行うために無線タグ１００と通信するための機能ほかを内蔵した本体部１１０、ユーザが手で把持するための把持部１２０を備えている。本体部１１０には、無線タグ１００に対して狭指向性の電波を放出するアンテナ部１１１が設けられている。
【００２２】
さらに、本体部１１０には、読み取りおよび／または書き込み可能な範囲を示すためのガイド光を通過させるための透過レンズ１１２、無線タグの操作結果を表示するための液晶ディスプレイ１１３を備えている。把持部１２０には、電源を投入するための電源スイッチ１２１、読み取りおよび／書き込みの起動信号を与えるためのトリガーキー１２２を備えている。
【００２３】
情報読取書込装置１０２の機能ブロックを図２に示す。
２１０は前記アンテナ部１１１を有する通信部で、無線タグ１００の情報の読み取りおよび／または無線タグ１００への情報の書き込みを行うために前記無線タグと通信を行う。
【００２４】
２１１は前記透過レンズ１１２を有する投光部で、読み取りおよび／または書き込み可能な範囲を示すためのガイド光を照射する。
２２１は情報読取書込装置１０２を構成する各機能を統括する制御部、２２２は前記液晶ディスプレイ１１３に作業情報を表示する表示部、２２３は前記電源スイッチ１２１とトリガーキー１２２などを有し各種キー入力を受け付ける入力部、２２４は各種情報を格納する記憶部を示す。
【００２５】
なお、通信部２１０および投光部２１１は、制御部２２１からの起動信号がＯＮ状態となることで起動する構成とし、情報読取書込装置１０２への電源投入時、起動信号は必ずＯＦＦ状態とする。つまり、情報読取書込装置１０２への電源投入時には、通信部２１０および投光部２１１の機能は無効とする。
【００２６】
マイクロコンピュータを要部として構成される制御部２２１の構成を、具体的な使用形態を示す図３に基づいて説明する。
図３は、無線タグ１００の読み取りおよび／または書き込みを行うときの、電波の放出およびガイド光が照射される様子を示している。なお、３１０は通信部２１０が無線タグ１００とのデータ通信ができる通信可能範囲である誘導電磁界を表している。
【００２７】
無線タグ１００の読み取りおよび／または書き込みを行うときの制御部２２１は、通信部２１０のアンテナ部１１１に数１００ＭＨｚの信号電流を通電する。
これによってアンテナ部１１１から発生して無線タグ１００の間に誘導電磁界３１０が発生し、通信部２１０はその誘導電磁界３１０を利用して無線タグ１００に無接触の状態で電力を供給する。さらに、このときにアンテナ部１１１から発生する誘導電磁界３１０には、符号化されたデータが付加されている。
【００２８】
なお、通信可能範囲となるこの誘導電磁界３１０の形状は、アンテナ部１１１の中心軸からＸ軸方向に狭指向性の葉巻状であることが知られている。
さらにこのときに、前記制御部２２１は、投光部２１１から透過レンズ１１２を介して前記誘導電磁界３１０のエリア内に可視光のガイド光３２０を照射させる。ここで、ガイド光３２０は葉巻状の通信可能範囲である誘導電磁界３１０を円筒形状と近似した場合に、識別対象１０１の面に対して楕円状に投影される。このガイド光３２０は予め測定しておいた通信可能範囲である誘導電磁界３１０と一致するように、投光部２１１に内蔵する光スリットやレンズを使用してサイズが予め調整されている。
【００２９】
無線タグ１００の読み取りおよび／または書き込みを行うときに、通信可能な範囲を示すためのガイド光３２０を投光部２１１が照射するときの動作についてさらに詳しく説明する。
【００３０】
まず、前記入力部２２３の電源スイッチ１２１が操作されたことを制御部２２１が検出すると、制御部２２１はキー入力待ちの状態となる。キー入力待ちの状態の状態において前記入力部２２３のトリガーキー１２２が押下されたことを制御部２２１が検出すると、制御部２２１は通信部２１０および投光部２１１の機能を有効とするための起動信号をＯＮ状態とする。
【００３１】
次に、制御部２２１は通信部２１０のアンテナ部１１１より図３に示したように電波を放出するとともに、投光部２１１にガイド光３２０を識別対象１０１に投影させるように指示する。
【００３２】
このとき、把持部１２０を掴んでいるユーザは、ガイド光３２０が識別対象１０１に取り付けられた無線タグ１００を照射するように位置合わせを実施する。これによって誘導電磁界３１０の範囲内に無線タグ１００が入って、情報読取書込装置１０２が無線タグ１００にアクセスできる。
【００３３】
情報読取書込装置１０２から誘導電磁界３１０によって無接触給電されると共に質問指示を受け付けた無線タグ１００は、質問指示の内容に応じた情報を自己のメモリエリアから読み出して電波を発射して応答する。
【００３４】
無線タグ１００からの応答を前記アンテナ部１１１によって検出して復調した前記通信部２１０の出力を制御部２２１が照合して、通信部２１０と無線タグ１００との通信で情報の読み取りまたは書き込みが成功したと判定した場合には、制御部２２１は、通信部２１０と投光部２１１の起動信号をＯＦＦ状態として機能を停止させたのち、表示部２２２を制御して液晶ディスプレイ１１３にその結果（例えば無線タグ１００より読み取ったデータ内容）を表示する。
【００３５】
また、ユーザがトリガーキー１２２を押下し続ける場合は、誘導電磁界３１０にある未処理の無線タグ１００の読み取りまたは書き込みを最初からやり直す。
このように、投光部２１１が、情報読取書込装置１０２の読み取りおよび／または書き込み可能な通信可能範囲と一致する範囲を照射するようにガイド光３２０を照射することで、狭指向性の電波が無線タグ１００に確実に照射されることを視覚的に確認することが可能である。
【００３６】
（実施の形態２）
図４は本発明の（実施の形態２）の要部を示している。
この（実施の形態２）が（実施の形態１）と異なるのは、無線タグ１００が通信可能範囲である誘導電磁界３１０の外にある場合には、投光部２１１から照射されたガイド光３２０の輪郭をぼやけた状態とする点である。
【００３７】
ここで、図４において、無線タグ１００が設けられている読み取りおよび／または書き込み対象位置が情報読取書込装置の読み取りおよび／または書き込み可能な通信可能範囲である誘導電磁界３１０の外にある場合には、投光部２１１から照射されたガイド光３２０の輪郭がぼやけた状態をつくるための原理を示す。
【００３８】
４０１は投光部２１１が内蔵する光源、４０２は光源４０１から照射される光を集光させるための凸レンズ、３２０・Ｘ１は凸レンズ４０２によって集光された焦点Ｘ１に投影されたガイド光、３２０・Ｘ２は焦点Ｘ１よりも大きく離れた位置Ｘ２に投影されたガイド光、Ｌは凸レンズ４０２の中心Ｘ０から焦点Ｘ１までの焦点距離を示す。
【００３９】
この構成により、投光部２１１は焦点Ｘ１のガイド光３０２・Ｘ１の輪郭を明瞭に投影することができる。逆に言えば、焦点Ｘ１と比べて光源４０１よりも大きく離れた位置Ｘ２に照射された場合には、そのガイド光３０２・Ｘ２の輪郭をぼやけたものにすることができる。
【００４０】
なお、焦点距離Ｌは、凸レンズ４０２と光源４０１の相対距離や凸レンズ４０２の形状などの要素（以下、パラメータ）を調整することで任意に指定できる。
以上のように、予め測定しておいたＸ軸方向における誘導電磁界３１０の限界近傍に焦点Ｘ１が一致するように、これらパラメータを調整しておくことで、無線タグ１００が誘導電磁界３１０の外にある場合には、投光部２１１から識別対象１０１に投影されたガイド光の輪郭をガイド光３０２・Ｘ２のようにぼやけた状態となって、通信可能範囲内に無線タグ１００が有るか否かをユーザが知覚可能となる。
【００４１】
（実施の形態３）
図５と図６は本発明の（実施の形態３）の要部を示している。
この（実施の形態３）が（実施の形態２）と異なるのは、（実施の形態２）における単一の投光部２１１に対して、この（実施の形態３）では図５に示すように複数の投光部が設けられている点が異なっている。図５では２つの投光部２１１Ａ，２１１Ｂが設けた場合を例に挙げている。
【００４２】
図６において、無線タグ１００が設けられている読み取りおよび／または書き込み対象位置が情報読取書込装置の読み取りおよび／または書き込み可能な通信可能範囲である誘導電磁界３１０の外にある場合には、位置Ｘ２に示すように投光部２１１Ａが照射したガイド光３２０Ａと、投光部２１１Ｂが照射したガイド光３２０Ｂとの間隔が離れた状態とするための原理を示す。最も通信状態が良好なポイント（焦点Ｘ１）で投光部２１１Ａの焦点と投光部２１１Ｂの焦点とが一致してガイド光３２０Ａ，３２０Ｂとが重なるよう配置されている。
【００４３】
投光部２１１Ａは、実施の形態２と同様の光源４０１Ａおよび凸レンズ４０２Ａで構成され、投光部２１１Ｂは、実施の形態２と同様の光源４０１Ｂおよび凸レンズ４０２Ｂで構成されている。投光部２１１Ａの光軸と投光部２１１Ｂの光軸とは、凸レンズ４０２Ａ，４０２の位置Ｘ０において距離Ｍだけ離し、かつ予め計測した最も通信状態が良好なポイント（焦点Ｘ１）で、投光部２１１Ａの焦点と投光部２１１Ｂの焦点とが各々の焦点が一致するようにθだけ偏心させて開き角度２θで配置させる。
【００４４】
この構成により、投光部２１１Ａ，２１１Ｂは焦点Ｘ１で２つのガイド光３２０Ａ，３２０Ｂを重ね合わせた像の輪郭を明瞭に投影することができる。逆に言えば、焦点Ｘ１と比べて光源よりも大きく離れた位置Ｘ２で２つのガイド光３２０Ａ，３２０Ｂが離れた状態の像をつくることができる。
【００４５】
なお、焦点距離Ｌは、凸レンズ４０２Ａと光源４０１Ａの相対距離，凸レンズ４０２Ｂと光源４０１Ｂの相対距離や偏心θや凸レンズ４０２Ａ，４０２Ｂの形状などの要素（以下、パラメータ）を調整することで任意に指定できる。
【００４６】
以上のように、予め測定しておいた無線タグ１００との通信状態が最も良好なポイントである焦点Ｘ１で各々の投光部が照射したガイド光が一致した状態にすることで、ユーザが通信状態の良好なポイントを探すことが容易となる。
【００４７】
（実施の形態４）
図７と図８は本発明の（実施の形態４）の要部を示している。
この（実施の形態４）が（実施の形態１）と異なるのは、図７に示すように無線タグ１００が設けられている識別対象１０１との距離を検出する距離検出部６０１と、ガイド光３２０の形状を変化させるための駆動部６０２を備える点である。
【００４８】
距離検出部６０１は、図８に示すように本体部１１０に内蔵させた赤外線送信装置から赤外線を測定対象に送信し、その反射を利用して識別対象１０１との距離を求める方式を利用している。駆動部６０２は、ガイド光３２０の大きさを変化させるために投光部２１１における光スリットの大きさを変化させるように構成されている。
【００４９】
この構成により、無線タグ１００の通信可能範囲である誘導電磁界３１０は、アンテナ部１１１の中心軸からＸ軸方向に葉巻状であることから、距離検出部６０１からの情報に基づいて制御部２２１が駆動部６０２に指令を送り、投光部２１１に内蔵する光スリットを調整して、予め測定しておいた誘導電磁界３１０と一致する大きさのガイド光３２０を照射して、より正確な通信可能範囲をユーザが知覚可能である。
【００５０】
（実施の形態５）
図９は本発明の（実施の形態５）を示している。
この（実施の形態５）が（実施の形態４）と異なるのは、図９に示すようにノイズ検出部８０１が追加されている点と、投光部２１１に代わって投光部８０２が設けられ、周囲のノイズに応じてガイド光の色を変更するように制御部２２１を構成した点だけが異なっている。
【００５１】
図９において、周囲のノイズを検出するノイズ検出部８０１は、通信部２１０が無線タグ１００からの応答を取り出すときに発生したエラー頻度を監視して周囲のノイズの強さを監視する。投光部８０２は、複数の色をもつ光源を内蔵しガイド光の色を変更可能としている。
【００５２】
この構成により、ノイズ検出部８０１は、通信部２１０が無線タグ１００からの応答を取り出すときに発生したエラー頻度を監視することで、周囲のノイズの強さを監視し、制御部２２１は、ノイズ検出部８０１が検出したエラー頻度が通信品質に影響を与える限度を超えた場合に、投光部８０２にノイズが多いときは光源を「異常」を意味するレッドに切り替え、逆に、ノイズ検出部８０１がノイズによる通信品質への影響を少ないと判定したとき、光源を「正常」を意味するグリーンに変更する。
【００５３】
以上により、情報読取書込装置１０２を利用する周辺の電波状況をユーザに報知できる。投光部８０２からのガイド光の色を電波状況に応じて変更したが、ガイド光の色はそのままでガイド光をフラッシングさせるなど点滅状態を電波状況に応じて変更しても同様の効果を期待できる。
【００５４】
なお、（実施の形態４）について周囲のノイズを検出し、ガイド光の色を変更するように構成したが、（実施の形態１）〜（実施の形態３）においても同様に実施できる。
（実施の形態６）
図１０は本発明の（実施の形態６）を示している。
【００５５】
この（実施の形態６）が（実施の形態４）と異なるのは、図１０に示すように判定部９０１が追加されている点と、投光部２１１に代わって投光部８０２が設けられ、通信可能範囲内に複数の無線タグが存在するか否かに応じてガイド光の色を変更するように制御部２２１を構成した点だけが異なっている。
【００５６】
図１０において、判定部９０１は、通信部２１０からの信号に基づいて情報読取書込装置１０２の読み取りおよび／または書き込み可能な通信可能範囲内に複数の無線タグ１００が存在するか否かを判定する。投光部８０２は、複数の色をもつ光源を内蔵しガイド光の色を変更可能としている。
【００５７】
この構成により、判定部９０１は、通信部２１０が無線タグ１００からの応答を取り出すときに所定の時間内における無線タグ１００の検出数を監視し、制御部２２１は、判定部９０１が複数の無線タグ１００を検出した場合に、「警告（読み逃しに注意）」を意味するイエローにガイド光の色を切り換えるように投光部８０２に指示するように構成されている。
【００５８】
以上により、通信可能範囲内に複数の無線タグ１００がある場合に、読み逃しが発生しないように注意を喚起するためにユーザに報知できる。
なお、通信可能範囲内に複数の無線タグ１００がある場合に、投光部８０２からのガイド光の色を変更したが、ガイド光の色はそのままでガイド光をフラッシングさせるなど点滅状態を、通信可能範囲内に複数の無線タグ１００がある場合と無い場合とで変更しても同様の効果を期待できる。
【００５９】
（実施の形態７）
（実施の形態６）では判定部９０１の出力に応じて制御部２２１が投光部８０２から発生するガイド光の色を変更したが、この（実施の形態７）では、判定部９０１の出力に応じて制御部２２１が投光部８０２から発生するガイド光の色を変更するとともに、判定部９０１の出力に応じて制御部２２１が通信部２１０から放出する電波の強度を制御する点が異なっている。
【００６０】
この構成により、判定部９０１が複数の無線タグ１００を検出した場合に、制御部２２１が通信部２１０から放出される電波の強度を弱くして通信可能範囲を狭くし、この通信可能範囲に併せてガイド光３２０の照射範囲も狭くすることによって、通信品質やセキュリティを高める目的で、無線タグ−アンテナ間の通信可能範囲を制御されたことをユーザに報知できる。
【００６１】
なお、判定部９０１の検出に基づいてガイド光３２０の照射範囲を制御する構成は、制御部２２１に指示されて駆動部６０２が投光部２１１における光スリットの大きさを変化させるように構成されている。
【００６２】
なお、判定部９０１の出力に応じて制御部２２１が投光部８０２から発生するガイド光の色を変更するのに代わって、ガイド光をフラッシングさせるなど点滅状態を変更して報知することもできる。
【００６３】
（実施の形態８）
図１１は本発明の（実施の形態８）を示している。
この（実施の形態８）が（実施の形態６）（実施の形態７）と異なるのは、図１１に示すように入力部２２３におけるトリガーキー１２２として、第１の操作検出部ＳＷ１０と第２の操作検出部ＳＷ２０の２段階の切り換え状態を有するキースイッチを採用し、把持部１２１を掴んだ手の指によってトリガーキーを軽く押し込んだ状態で第１の操作検出部ＳＷ１０が切り換わってこの状態を検出し、さらに前記トリガーキーを深く押し込むことで第２の操作検出部ＳＷ２０が切り換わってこの状態を検出するように構成し、トリガーキーが軽く押し込んだ状態になったことを第１の操作検出部ＳＷ１０から検出した制御部２２１が、投光部８０２からガイド光の照射を開始させる。トリガーキーがさらに深く押し込まれたことを第２の操作検出部ＳＷ２０から検出した制御部２２１が、通信部２１０を制御して無線タグ１００との通信を開始させるよう構成されている。
【００６４】
以上により、第１の操作検出部ＳＷ１０を操作したときガイド光を識別対象１０１に照射して「通信のための位置あわせ」を行い、さらに第２の操作検出部ＳＷ２０を操作したとき「タグへの情報の読み取りまたは書き込み」を行うといったユーザにとって直感的にわかりやすい無線タグの探索作業の手順を提供できる。
【００６５】
なお、第１の操作部として第１の操作検出部ＳＷ１０を設け、第２の操作部として第２の操作検出部ＳＷ２０を設け、この（実施の形態８）ではこの第１，第２の操作検出部ＳＷ１，ＳＷ２は単一のトリガーキーによって操作力の強弱、具体例では押下の程度の違いによって操作可能であったが、第１，第２の操作部はこれに限定はされない。具体的には、トリガーキー１２２とは別に、ユーザが把持部１２０を掴んだことを検出できる第１の操作部を設け、前記トリガーキー１２２を第２の操作部として、制御部２２１を、ユーザが把持部１２０を掴んだことを第１の操作部から検出してガイド光を識別対象１０１に照射して「通信のための位置あわせ」を行い、さらにトリガーキー１２２を操作したとき「タグへの情報の読み取りまたは書き込み」を行うといったユーザにとって直感的にわかりやすい無線タグの探索作業の手順を提供できる。
【００６６】
この（実施の形態８）の「通信のための位置あわせ」「タグへの情報の読み取りまたは書き込み」の２段階の制御は、（実施の形態６）（実施の形態７）だけでなく（実施の形態１）〜（実施の形態５）においても同様に実施できる。
【００６７】
（実施の形態９）
図１２は本発明の（実施の形態９）を示している。
この（実施の形態９）が（実施の形態４）と異なるのは、図１２に示すように入力部２２３におけるトリガーキー１２２として、第１のトリガーキー１２２Ａ，第２のトリガーキー１２２Ｂを設け、把持部１２１を掴んだ手の指によって第１，第２のトリガーキー１２２Ａ，１２２Ｂの何れかが操作される事によって、操作されたトリガーキーに応じて制御部２２１が通信部２１０を制御して電波の強度が切り換えられる点だけが異なっている。また、電波の強度の切り換えに対応して制御部２２１は駆動部６０２を介して投光部２１１における光スリットの大きさを変化させてガイド光３２０の照射範囲を制御するように構成されている。
【００６８】
具体的には、通信部２１０から放出する電波の強度を強くして無線タグ１００との通信を開始させる第１の操作部が第１のトリガーキー１２２Ａに対応し、通信部から放出する電波の強度を弱くして無線タグ１００との通信を開始させる第２の操作部に第２のトリガーキー１２２Ｂが対応しているとすると、制御部２２１は、第１のトリガーキー１２２Ａが操作されたとき通信部２１０から放出する電波の強度を強くして無線タグ１００との通信を行い、次に、第２のトリガーキー１２２Ｂを操作したとき通信部２１０から放出する電波の強度を弱くして無線タグ１００との通信を開始する。
【００６９】
以上により、第１のトリガーキー１２２Ａを操作したとき長距離通信のモードにおいて「タグの検索」を行い、さらに第２のトリガーキー１２２Ｂを操作したとき短距離通信のモードにおいて「タグへの情報書込み」を行うといったユーザにとって直感的にわかりやすい無線タグの書き込み作業の手順を提供できる。
【００７０】
なお、第１のトリガーキー１２２Ａと第２のトリガーキー１２２Ｂとは別々のスイッチであったが、（実施の形態８）における第１，第２の操作検出部ＳＷ１，ＳＷ２のように単一のトリガーキーによって押下の程度の違いによって操作するタイプのスイッチでも同様に実施できる。
【００７１】
なお、この（実施の形態９）では（実施の形態４）の発展形として説明したが、（実施の形態１）〜（実施の形態３），（実施の形態５）〜（実施の形態８）においても同様に実施できる。
【産業上の利用可能性】
【００７２】
無線タグにアクセスしてデータの授受を実行するハンディー型スキャナなどの他、これを使用した各種物流データの情報の受け渡しに利用できる。
【図面の簡単な説明】
【００７３】
【図１】本発明の情報読取書込装置の（実施の形態１）における使用状態と外観の説明図
【図２】同実施の形態のブロック図
【図３】同実施の形態の電波を輻射するとともにガイド光を照射した場合の説明図
【図４】本発明の情報読取書込装置の（実施の形態２）における要部の原理説明図
【図５】本発明の情報読取書込装置の（実施の形態３）におけるブロック図
【図６】同実施の形態の要部の原理説明図
【図７】本発明の情報読取書込装置の（実施の形態４）におけるブロック図
【図８】同実施の形態の使用状態の説明図
【図９】本発明の情報読取書込装置の（実施の形態５）におけるブロック図
【図１０】本発明の情報読取書込装置の（実施の形態６）におけるブロック図
【図１１】本発明の情報読取書込装置の（実施の形態８）におけるブロック図
【図１２】本発明の情報読取書込装置の（実施の形態９）におけるブロック図
【符号の説明】
【００７４】
１００    無線タグ
１０１    識別対象
１０２    情報読取書込装置
１１０    本体部
１１１    アンテナ部
１１２    透過レンズ
１１３    液晶ディスプレイ
１２０    把持部
１２１    電源スイッチ
１２２    トリガーキー
１２２Ａ    第１のトリガーキー
１２２Ｂ    第２のトリガーキー
２１０    通信部
２１１，２１１Ａ，２１１Ｂ    投光部
２２１    制御部
２２２    表示部
２２３    入力部
２２４    記憶部
３１０    誘導電磁界
３２０    ガイド光
３２０Ａ，３２０Ｂ    ガイド光
３２０・Ｘ１    焦点Ｘ１に投影されたガイド光
３２０・Ｘ２    位置Ｘ２に投影されたガイド光
４０１，４０１Ａ，４０１Ｂ    光源
４０２，４０２Ａ，４０２Ｂ    凸レンズ
６０１    距離検出部
６０２    駆動部
８０１    ノイズ検出部
８０２    投光部
９０１    判定部
ＳＷ１    第１の操作部
ＳＷ２    第２の操作部
ＳＷ１０    第１の操作検出部
ＳＷ２０    第２の操作検出部
【図１】
2005242396.tif 000003
【図２】
2005242396.tif 000004
【図３】
2005242396.tif 000005
【図４】
2005242396.tif 000006
【図５】
2005242396.tif 000007
【図６】
2005242396.tif 000008
【図７】
2005242396.tif 000009
【図８】
2005242396.tif 000010
【図９】
2005242396.tif 000011
【図１０】
2005242396.tif 000012
【図１１】
2005242396.tif 000013
【図１２】
2005242396.tif 000014